(57)【要約】【課題】  ネットワーク上に存在する端末が有するモニタの色域を統一する技術を提供する。【解決手段】  複数のモニタのそれぞれに、複数の有彩色画像データに基づく色を順次表示させ、有彩色画像データに基づく色を順次表示するモニタを測色して、表示色情報を順次取得し、取得した表示色情報が分布する色域の大きさをモニタ毎に算出して、色域が最も狭いモニタを特定し、特定されたモニタを測色することにより得られた表示色情報と他のモニタを測色することにより得られた表示色情報との差分を求め、差分に基づき、他のモニタに対応する色変換プロファイルを、特定されたモニタの色域に合わせる色変換プロファイルに書き換える。【選択図】      図４
2006166237.tif 000002
【特許請求の範囲】
【請求項１】
各々に、複数の有彩色画像データに基づく色が順次表示される複数のモニタと、
前記各モニタに対応して設けられ、前記モニタに表示される画像データに予め色変換を施しておく複数の色変換手段と、
前記各モニタに対応して設けられ、前記色変換手段により参照される複数の色変換プロファイルと、
前記各モニタに対応して設けられ、前記有彩色画像データに基づく色を表示する前記モニタを測色して、測色結果を順次取得する複数の測色手段と、
前記モニタ毎に前記測色結果に基づく表示色が分布する色域の大きさを算出して、色域が最も狭いモニタを特定する特定手段と、
前記特定されたモニタを測色することにより得られた測色結果と他のモニタを測色することにより得られた測色結果との差分に基づき、他のモニタに対応する色変換プロファイルを前記特定されたモニタの色域に合わせる色変換プロファイルに書き換える書換手段と、
を備えること、
を特徴とする色管理システム。
【請求項２】
前記特定手段と前記書換手段とを有するサーバと、
前記モニタと前記色変換手段と前記色変換プロファイルと前記測色手段とを有する複数の端末と、
を備え、
前記複数の端末から、前記測色結果が前記サーバに送信されると、
前記サーバより前記測色結果を送信した端末へ、書き換えられた色変換プロファイルを送信こと、
を特徴とする請求項１の色管理システム。
【請求項３】
複数のモニタのそれぞれに、複数の有彩色画像データに基づく色を順次表示させ、
前記有彩色画像データに基づく色を順次表示する前記モニタを測色して、測色結果を順次取得し、
取得した測色結果に基づく表示色が分布する色域の大きさをモニタ毎に算出して、色域が最も狭いモニタを特定し、
前記特定されたモニタを測色することにより得られた測色結果と他のモニタを測色することにより得られた測色結果との差分を求め、
前記差分に基づき、前記他のモニタに対応する色変換プロファイルを、前記特定されたモニタの色域に合わせる色変換プロファイルに書き換えること、
を特徴とする色管理方法。
【請求項４】
複数の有彩色画像データに基づく色を順次表示する複数のモニタを測色して得られた測色結果と、前記複数のモニタのそれぞれに適用される色変換プロファイルとが送信されるサーバを、
前記モニタ毎に前記測色結果に基づく表示色が分布する色域の大きさを算出して、色域が最も狭いモニタを特定する特定手段と、
前記特定されたモニタを測色することにより得られた測色結果と他のモニタを測色することにより得られた測色結果との差分に基づき、他のモニタに対応する色変換プロファイルを前記特定されたモニタの色域に合わせる色変換プロファイルに書き換える書換手段と、
して機能させること、
を特徴とする色管理プログラム。
【発明の詳細な説明】
【技術分野】
【０００１】
本発明は、ネットワーク上に存在する端末が有するモニタの色域を統一する技術に関する。
【背景技術】
【０００２】
従来、印刷写真原稿を入稿する前に、その印刷写真原稿のリバーサルフィルムをビューアを用いて確認することが行われていた。この確認に用いるビューアは、光源の白色ポイントの色温度が５０００Ｋ（ケルビン）に統一されているので、色の見え方の統一性は確保されていた。
【０００３】
一方、近年のデジタルカメラの普及により、リバーサルフィルムに代わりデジタルデータ（画像データ）での入稿が一般化してきた。デジタルデータによる印刷写真原稿の確認は、デジタルデータに基づく画像をモニタに表示して行われる。この場合、色の見え方は使用するモニタに依存するので、モニタの色管理をモニタの表示する有彩色を測定してカラー画像表示性能を評価することにより行い、モニタの表示する色について高い色再現性を実現することができるようにするものがある（例えば、特許文献１参照。）。
【０００４】
【特許文献１】特開２００３−２４１７３２号公報
【発明の開示】
【発明が解決しようとする課題】
【０００５】
ところが、モニタの色域は個々のモニタの方式や性能で異なるので、例えば、複数の拠点の各モニタに同じデジタルデータの画像を表示させて双方で画像の色についての評価を行う場合に、高い色再現性をもたらす色域が異なり、色域が異なる部分を起因とした表示色の相違が起こる。
【０００６】
この問題は、上記のようにモニタの色域がそれぞれ異なるため、任意の共通指標に合わせた統一を行っても表示色を完全に一致させることが困難であり、その解決に至っていない。
【０００７】
本発明は、上記事情に鑑みてなされたものであり、その目的とするところは、ネットワーク上に存在する端末が有するモニタの色域を統一する技術を提供することにある。
【課題を解決するための手段】
【０００８】
上記課題を解決するために、請求項１記載の発明は、各々に、複数の有彩色画像データに基づく色が順次表示される複数のモニタと、前記各モニタに対応して設けられ、前記モニタに表示される画像データに予め色変換を施しておく複数の色変換手段と、前記各モニタに対応して設けられ、前記色変換手段により参照される複数の色変換プロファイルと、前記各モニタに対応して設けられ、前記有彩色画像データに基づく色を表示する前記モニタを測色して、測色結果を順次取得する複数の測色手段と、前記モニタ毎に前記測色結果に基づく表示色が分布する色域の大きさを算出して、色域が最も狭いモニタを特定する特定手段と、前記特定されたモニタを測色することにより得られた測色結果と他のモニタを測色することにより得られた測色結果との差分に基づき、他のモニタに対応する色変換プロファイルを前記特定されたモニタの色域に合わせる色変換プロファイルに書き換える書換手段と、を備えること、を特徴とする。
【０００９】
前記特定手段と前記書換手段とを有するサーバと、前記モニタと前記色変換手段と前記色変換プロファイルと前記測色手段とを有する複数の端末と、を備え、前記複数の端末から、前記測色結果が前記サーバに送信されると、前記サーバより前記測色結果を送信した端末へ、書き換えられた色変換プロファイルを送信するようにしてもよい（請求項２記載の発明に相当）。
【００１０】
また、上記課題を解決するために、請求項３記載の発明は、複数のモニタのそれぞれに、複数の有彩色画像データに基づく色を順次表示させ、前記有彩色画像データに基づく色を順次表示する前記モニタを測色して、測色結果を順次取得し、取得した測色結果に基づく表示色が分布する色域の大きさをモニタ毎に算出して、色域が最も狭いモニタを特定し、前記特定されたモニタを測色することにより得られた測色結果と他のモニタを測色することにより得られた測色結果との差分を求め、前記差分に基づき、前記他のモニタに対応する色変換プロファイルを、前記特定されたモニタの色域に合わせる色変換プロファイルに書き換えること、を特徴とする。
【００１１】
上記課題を解決するために、請求項４記載の発明は、複数の有彩色画像データに基づく色を順次表示する複数のモニタを測色して得られた測色結果と、前記複数のモニタのそれぞれに適用される色変換プロファイルとが送信されるサーバを、前記モニタ毎に前記測色結果に基づく表示色が分布する色域の大きさを算出して、色域が最も狭いモニタを特定する特定手段と、前記特定されたモニタを測色することにより得られた測色結果と他のモニタを測色することにより得られた測色結果との差分に基づき、他のモニタに対応する色変換プロファイルを前記特定されたモニタの色域に合わせる色変換プロファイルに書き換える書換手段と、して機能させること、を特徴とする。
【発明の効果】
【００１２】
本発明の色管理技術は、複数のモニタのそれぞれに、複数の有彩色画像データに基づく色を順次表示させ、有彩色画像データに基づく色を順次表示するモニタを測色して、表示色情報を順次取得し、取得した表示色情報が分布する色域の大きさをモニタ毎に算出して、色域が最も狭いモニタを特定し、特定されたモニタを測色することにより得られた表示色情報と他のモニタを測色することにより得られた表示色情報との差分を求め、差分に基づき、他のモニタに対応する色変換プロファイルを、特定されたモニタの色域に合わせる色変換プロファイルに書き換えるようにした。
【００１３】
これにより、ネットワーク上の各モニタの色域を、最も狭い色域のモニタのものに合わせることができる。従って、ネットワーク上のモニタの色域が統一されて、より高い次元での同一色再現性を得ることができる。
【発明を実施するための最良の形態】
【００１４】
以下、本実施形態に係る色管理システムの好適な一実施形態について、図面を参照しながら具体的に説明する。図１は、色管理システムの構成図であり、図２は、色管理システムが備える端末の構成図である。
【００１５】
図１に示すように、本実施形態に係る色管理システム１００は、サーバ１と複数の端末２，２，・・・とをネットワークＮを介して接続する構成を有する。図２に示すように、端末２は、コンピュータ２１とモニタ２２と測色計２３と入力装置２５とから構成されている。
【００１６】
この色管理システム１００では、複数の端末２において、所定の有彩色画像データをモニタ２２に表示させ、モニタ２２を測色計２３で測色し、測色結果を表示色情報Ｉとしてサーバ１にネットワークＮを介して送信する。
【００１７】
各端末２から表示色情報Ｉが送信されたサーバ１は、送信された表示色情報Ｉから最も狭い色域を示す表示色情報Ｉを抽出する。更に、抽出された表示色情報Ｉとその他の表示色情報Ｉの関係を導き、その他の表示色情報Ｉを送信した端末２の色変換デバイスプロファイルＰを、最も狭い色域を示す表示色情報Ｉを送信した端末２のモニタ２２の色域に合わせる色変換デバイスプロファイルＰ´に書き換える。
【００１８】
書き換えられた色変換デバイスプロファイルＰ´がそれぞれの端末２に送信されることにより、複数の端末２のモニタ２２全ての色域が、最も狭い色域に統一される。
【００１９】
表示色情報Ｉは、所定の有彩色画像データをモニタ２２に表示した場合のモニタ２２上で測色された表示色の値である。例えば、ＸＹＺ表色系である。ＸＹＺ表色系は、デバイスに依存しない色空間で、ＣＩＥ（Ｃｏｍｍｉｓｓｉｏｎ  Ｉｎｔｅｒｎａｔｉｏｎａｌ  ｄｅｌ´Ｅｃｌａｉｒａｇｅ：国際照明委員会）で定められたｘ−ｂａｒ，ｙ−ｂａｒ，ｚ−ｂａｒの分光特性で光量を積算して求められたものである。
【００２０】
所定の有彩色画像データは、例えばｓＲＧＢ色空間やＡｄｏｂｅＲＧＢ色空間等の原刺激値と基礎刺激値が公開された色空間の任意の座標が示す有彩色の画像データである。有彩色画像データは、Ｎ個存在し、任意の座標として、例えばｓＲＧＢ空間を満遍なく網羅するように決定される。例えば、ＲＧＢ各色を２５６階調に分けた場合、０，６４，１２８，２５５の各階調のＲ（レッド）Ｇ（グリーン）Ｂ（ブルー）の組み合わせ毎の有彩色画像データが存在し、Ｎは、１２５となる。
【００２１】
色変換デバイスプロファイルＰ，Ｐ´は、有彩色画像データを色変換するのに必要なデータが格納されている場合のそのデータのことであり、色変換プロファイルの一種である。係るデータの内容は、３次元ルックアップテーブル、１次元ルックアップテーブル、線形マトリクス、などがあり、一例としてＩＣＣプロファイル等がある。本実施形態の場合、モニタ２２側のデバイスプロファイルであり、ＸＹＺ表色系をモニタ２２依存のＲＧＢに変換する線形マトリクスを含む。
【００２２】
表示色情報Ｉを取得してサーバ１に当該表示色情報を送信する構成として、端末２は、図３に示すように、ＣＰＵ、ＲＯＭ、ＲＡＭ等のコンピュータ２１と、ＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）等のモニタ２２と、測色計２３と、モデム等の通信部２４と、キーボードやマウス等の入力装置２５とを備える。
【００２３】
コンピュータ２１には、ＲＯＭ又はＲＡＭに端末側色管理プログラムが格納されており、当該端末側色管理プログラムをＣＰＵが実行することで、制御手段２１ａ、色変換手段２１ｂが機能する。ＲＡＭは有彩色画像データ記憶手段２１ｃとなり、Ｎ個の有彩色画像データが格納される。
【００２４】
制御手段２１ａは、モニタ２２、測色計２３、及び通信部２４を制御する。モニタ２２の制御は、本実施形態の場合、Ｎ個の有彩色画像データの順次表示である。測色計２３の制御は、モニタ２２の測色であり、Ｎ個の有彩色画像データを順次表示するモニタ２２上の表示色を順次数値化してＮ個の表示色情報Ｉを作成させる。通信部２４の制御は、表示色情報Ｉ及び色変換デバイスプロファイルＰの送信、及びサーバ１から送信される色変換デバイスプロファイルＰ´の受信である。
【００２５】
色変換手段２１ｂは、制御手段２１ａがモニタ２２に有彩色画像データを表示させる前段として、モニタ２２が表示する表示色が有彩色画像データが示す色を忠実に再現するように有彩色画像データに色変換を施す。色変換は、モニタ２２の出力特性を補正し、有彩色画像データが有する数値を所望の色空間で表現する変換である。
【００２６】
この色変換には、図５に示す色変換デバイスプロファイルＰが用いられる。図５に示すように、色変換デバイスプロファイルＰは、一次元入力ルックアップテーブルＰｉと線形マトリクスＰｍと一次元出力ルックアップテーブルＰｏを含む。この色変換デバイスプロファイルＰは、測色においてのみ用いられるものではなく、端末２で通常使われるモニタ２２のデバイスプロファイルＰである。
【００２７】
係る変換は、色変換デバイスプロファイルＰを用いてＸＹＺ表色系で表現された有彩色画像データをモニタ２２の出力特性を補正し、有彩色画像データが有するＸＹＺ表色系の数値を所望のＲＧＢ色空間で表現しなおす。尚、この色変換デバイスプロファイルＰを用いる前には、入力デバイスの色変換プロファイルにより、ＲＧＢ各色で表現された有彩色画像データがＸＹＺ表色系で表現された有彩色画像データに変換されている。
【００２８】
色変換デバイスプロファイルＰは、以下の変換式を実現するものである。
［Ｒ，Ｇ，Ｂ］＝［Ａｍｎ］［Ｘ，Ｙ，Ｚ］
【００２９】
ここで、Ｘ、Ｙ、Ｚは、有彩色画像データが有する数値であり、ＸＹＺ表色系の三刺激値である。Ｒ、Ｇ、Ｂは、モニタの出力特性が補正された所望のＲＧＢ色空間の座標である。［Ａｍｎ］は、モニタ２２の出力特性の補正と所望のＲＧＢ色空間への再表現前後の有彩色画像データの関係を示し、当該補正と再表現の色変換を実現する３×３の線形マトリックスＰｏである。
【００３０】
モニタ２２は、制御手段２１ｂの制御によって、色変換後のＮ個の有彩色画像データを順次表示する。
【００３１】
測色計２３は、制御手段２１ｂの制御によって、モニタ２２が順次表示する表示色を測色して、ＸＹＺ表色系におけるＸ、Ｙ、Ｚの三刺激値を測定し、Ｎ個の表示色情報Ｉを得る。三刺激値は、刺激値直読方法又は分光測色方法により測定される。
【００３２】
通信部２４は、制御手段２１ｂの制御によって、測色計２３が得たＮ個の表示色情報Ｉと色変換デバイスプロファイルＰをサーバ１に送信する。又、サーバ１から送信された色変換デバイスプロファイルＰ´を受信する。
【００３３】
送信された表示色情報Ｉに基づいて端末２の色変換デバイスプロファイルを書き換えるサーバ１は、図４に示すように、図示しないＣＰＵ、ＲＯＭ、ＲＡＭ等のコンピュータ１１と、モデム等の通信部１２を備える。
【００３４】
コンピュータ１１は、ＲＯＭ又はＲＡＭにおいてサーバ側色管理プログラムが格納されており、当該サーバ側色管理プログラムをＣＰＵが実行することで、抽出手段１１ｂ、プロファイル作成手段１１ｇが機能する。ＲＡＭは表示色情報格納手段１１ａとプロファイル格納手段１１ｄとなる。
【００３５】
表示色情報格納手段１１ａは、図６に示すように、複数の端末２から送信されたそれぞれＮ個の表示色情報Ｉを格納する。図６は、表示色情報格納手段１１ａに格納されている表示色情報Ｉを説明する図である。送信した端末２ごとにＮ個の表示色情報Ｉが格納される。例えば、Ｎ個の表示色情報Ｉを送信した端末２が備えるモニタ名毎に関連付けて格納する。更に各表示色情報Ｉは、対応するＲＧＢ各色の組合せと対にして格納する。
【００３６】
プロファイル格納手段１１ｄは、複数の端末２から送信された色変換デバイスプロファイルが格納する。格納時には、各色変換デバイスプロファイルと、送信した端末２が有するモニタ名とを関連付けて格納する。
【００３７】
抽出手段１１ａは、表示色情報Ｉが分布する色域を端末２毎に決定して、色域が最小となるモニタ名を抽出する。すなわち、色域が最小となるモニタを特定する特定手段である。詳細には、表示色情報格納手段１１ａに格納されている各端末２から送信された表示色情報Ｉを読み出して、端末２毎にＸ，Ｙ，Ｚの三刺激値からｘｙ色度図上の座標（ｘ，ｙ）を求めて表示色情報Ｉの色域を決定し、色域の大きさを算出して、最小の色域を示した表示色情報Ｉに関連付けられているモニタ名を抽出する。
【００３８】
ｘｙ色度図上の座標（ｘ，ｙ）は、以下の式により求める。
ｘ＝Ｘ／（Ｘ＋Ｙ＋Ｚ）
ｙ＝Ｙ／（Ｘ＋Ｙ＋Ｚ）
【００３９】
図７に端末２ごとの表示色情報Ｉの分布を示す。図７は、ｘｙ色度図上の各端末２の表示色情報Ｉの分布を示す。図７に示すように、２箇所の拠点のそれぞれに配置されるモニタＡ、モニタＣをそれぞれ測色したことによる各Ｎ個の表示色情報Ｉから色度座標（ｘ、ｙ）を求めて、ｘｙ色度図上に示したものである。図７においては、モニタＡの各値を■で、モニタＣの各値を○で示し、また、参考のため可視光の色域、典型的なモニタの色再現範囲ｓＲＧＢ、典型的な印刷の色域ＡｄｏｂｅＲＧＢ１９９８を示してある。
【００４０】
図７から、各モニタＡ，Ｃの色域の違いを確認することができる。尚、図においては、二つの端末２の表示色情報Ｉの分布のみを示しているが、実際にはネットワークＮ上に存在する端末２の数だけ分布が求められる。
【００４１】
色域の大きさは、表示色情報Ｉの分布範囲を求めることにより算出される。Ｎ個の表示色情報Ｉは、ＲＧＢ色空間内の座標を満遍なく採用した有彩色画像データに基づくものであり、Ｎ個の表示色情報Ｉが分布する色域は、理想的には三角形状となる。仮想の三角形状領域の各頂点に相当する色度座標を検索し、検索された三点の色度座標で囲まれた面積を求めればよい。尚、本実施形態では、ｘｙ平面に表示色情報Ｉを全て投影させたが、色域は３次元空間であり、表示色情報Ｉが分布した体積を求めてもよい。
【００４２】
最小の色域を示した表示色情報Ｉに関連付けられているモニタ名の抽出は、算出した色域の大きさの値のうち、最小の値を示したものを選択することにより行う。
【００４３】
プロファイル作成手段１１ｃは、各端末２が有するモニタ２２のうち、最小の色域を有するモニタ２２に他のモニタ２２の色域を合わせる色変換プロファイルを作成する。詳細には、最小の色域を示した表示色情報Ｉと、他の端末２から送信された表示色情報Ｉとの関係式から色域の差分を求め、他の端末２に対応する色変換デバイスプロファイルＰを読み出して、当該色変換デバイスプロファイルＰに色域の差分を反映させて、色変換デバイスプロファイルＰ´に書き換える。すなわち、色変換プロファイルを書き換える書換手段である。
【００４４】
関係式は、以下の式である。
［Ｘ´，Ｙ´，Ｚ´］＝［Ｂｍｎ］［Ｘ，Ｙ，Ｚ］
【００４５】
ここで、Ｘ´、Ｙ´、Ｚ´は、最小の色域を有するモニタ２２を測色したことによる表示色情報Ｉの三刺激値であり、抽出手段１１ａにより抽出されたものである。Ｘ、Ｙ、Ｚは、他の端末２から送信された表示色情報Ｉの三刺激値である。
【００４６】
［Ｂｍｎ］は、［Ｘ´，Ｙ´，Ｚ´］と［Ｘ，Ｙ，Ｚ］の関係を示し、他の端末２より送信された表示色情報Ｉの値を抽出手段１１ａが抽出した表示色情報Ｉの値へ変換する３×３の線形マトリックスである。すなわち、［Ｂｍｎ］は、最小の色域を有するモニタ２２の色域と、他の端末２が有するモニタ２２の色域の差分となる。
【００４７】
プロファイル作成手段１１ｃは、上記した関係式が成立するとして、他の端末２から送信された各表示色情報Ｉと抽出手段１１ａにより抽出された各表示色情報Ｉとを用いて、最小二乗法または回帰分析により［Ｂｍｎ］を求める。
【００４８】
他の端末２に対応する色変換デバイスプロファイルＰは、以下の式を含む。
［Ｒ，Ｇ，Ｂ］＝［Ａｍｎ］［Ｘ´，Ｙ´，Ｚ´］
【００４９】
この式に、関係式を当てはめて以下の式における［Ａｍｎ］と［Ｂｍｎ］の積をとり、線形マトリクス［Ｃｍｎ］を算出する。
［Ｒ，Ｇ，Ｂ］＝［Ａｍｎ］［Ｂｍｎ］［Ｘ，Ｙ，Ｚ］
【００５０】
最終的にプロファイル作成手段１１ｃは、最終的に色変換デバイスプロファイルＰを、以下式を反映した色変換デバイスプロファイルＰ´に書き換える。すなわち、色変換デバイスプロファイルＰの線形マトリクスＰｍを［Ｃｍｎ］に置き換える。
［Ｒ，Ｇ，Ｂ］＝［Ｃｍｎ］［Ｘ，Ｙ，Ｚ］
【００５１】
この色変換デバイスプロファイルＰ´は、係る書き替え過程により、最小の色再現範囲と一致する色再現範囲を表現する。
【００５２】
このような色管理システム１００における動作を図８乃至１１に示す。図８は、色管理システム１００の全体動作を示し、図９は、端末２における測色動作を示し、図１０は、サーバ１における抽出動作を示し、図１１は、サーバ１におけるプロファイル書き替え動作を示す。
【００５３】
まず、図８に示すように、色管理システム１００では、各端末２，２・・・において、制御手段２１ａが測色計２３とモニタ２２を制御することで、測色計２３によりモニタ２２の測色が行われ、Ｎ個の表示色情報Ｉが取得される（Ｓ１０１）。取得された表示色情報Ｉは、色変換デバイスプロファイルＰとともに通信部２４によりネットワークＮを介してサーバ１に送信される（Ｓ１０２）。
【００５４】
各端末２，２・・・よりそれぞれＮ個の表示色情報Ｉと色変換デバイスプロファイルＰが送信されると、サーバ１では、表示色情報格納手段１１ａに各端末２，２・・・の表示色情報Ｉが識別可能に格納され、プロファイル格納手段１１ｄに各端末２，２・・・の色変換デバイスプロファイルＰが識別可能に格納される（Ｓ１０３）。
【００５５】
表示色情報Ｉと色変換デバイスプロファイルＰの格納後、抽出手段１１ｂが表示色情報格納手段１１ａに格納された表示色情報Ｉを端末２単位で読み出し、Ｎ個の表示色情報Ｉから色域の大きさを算出し、最も狭い色域を示す表示色情報Ｉに関連付けられているモニタ名を抽出する（Ｓ１０４）。
【００５６】
モニタ名が抽出されると、プロファイル作成手段１１ｃは、プロファイル格納手段１１ｄから各端末２，２・・・の色変換デバイスプロファイルを読み出す。さらに、それぞれの色変換デバイスプロファイルＰを、各端末２，２・・・が有するモニタ２２の色域を抽出されたモニタ名に対応するモニタ２２の色域と一致させる色変換デバイスプロファイルＰ´に書き換える（Ｓ１０５）。
【００５７】
色変換デバイスプロファイルＰ´は、通信部１２によりネットワークＮを介して対応する各端末２へ送信される（Ｓ１０６）。
【００５８】
Ｓ１０１におけるモニタ２２の測色について図９に基づき更に詳細に説明する。まず、制御手段２１ａは、カウント値ｉをｉ＝１にセットし（Ｓ１０１１）、ｉ番目の有彩色画像データを選択する（Ｓ１０１２）。
【００５９】
ｉ番目の有彩色画像データは、色変換手段２１ｂにて、色変換デバイスプロファイルＰを参照してモニタ２２の出力特性を補正し、有彩色画像データが有するＸＹＺ表色系の数値を所望のＲＧＢ色空間で表現しなおす（Ｓ１０１３）。
【００６０】
制御手段２１ａが色変換後のｉ番目の有彩色画像データからビデオフォーマットの表示信号を生成し、モニタ２２に入力する（Ｓ１０１４）。当該表示信号のモニタ２２への入力により、モニタ２２上には、ｉ番目の有彩色画像データが表示される。
【００６１】
モニタ２２上にｉ番目の有彩色画像データが表示されると、制御手段２１ｂは、同期して測色計２３を制御し、測色計２３によりモニタ２２上の表示色がＸ、Ｙ、Ｚの三刺激値として測定され、ｉ番目の表示色情報Ｉが取得される（Ｓ１０１５）。
【００６２】
制御手段２１ａは、カウント値ｉをｉ＝ｉ＋１とし（Ｓ１０１５）、ｉが有彩色画像データの数であるＮを超えない限り（Ｓ１０１７，Ｙｅｓ）、Ｓ１０１２〜Ｓ１０１６の動作を繰り返し、Ｎ個の表示色情報Ｉを取得する。
【００６３】
Ｓ１０３における抽出動作について図１０に基づき更に詳細に説明する。まず、抽出手段１１ｂは、次のモニタ名に関連付けられたＮ個の表示色情報Ｉを選択する（Ｓ１０３０１）。最初のループにおいては、初めのモニタ名で関連付けられたＮ個の表示色情報Ｉを選択する。モニタ名の順番については、予め決まった順で呼び出せばよく、システム１００に設置される端末２が既定している場合は、モニタ名の順番を規定したテーブルを予め有し、そのテーブルを参照して選択が行われる。
【００６４】
次に、抽出手段１１ｂは、カウント値ｉをｉ＝１にセットし（Ｓ１０３０２）、選択したＮ個の表示色情報Ｉから、ｉ番目の表示色情報Ｉを表示色情報格納手段１１ａから読み出す（Ｓ１０３０３）。
【００６５】
ｉ番目の表示色情報Ｉを読み出すと、当該表示色情報Ｉに含まれているＸ、Ｙ、Ｚ三刺激値をｘ＝Ｘ／（Ｘ＋Ｙ＋Ｚ）、ｙ＝Ｙ／（Ｘ＋Ｙ＋Ｚ）に代入して演算し、ｘｙ色度図上におけるｉ番目の表示色情報Ｉの座標（ｘ，ｙ）を算出する（Ｓ１０３０４）。
【００６６】
抽出手段１１ａは、カウント値ｉをｉ＝ｉ＋１とし（Ｓ１０３０５）、ｉが表示色情報Ｉの数であるＮを超えない限り（Ｓ１０３０６，Ｎｏ）、Ｓ１０３０３〜Ｓ１０３０５の動作を繰り返し、Ｎ個の表示色情報Ｉの座標（ｘ，ｙ）を算出する。
【００６７】
ｉが表示色情報Ｉの数であるＮを超えた場合（Ｓ１０３０６，Ｙｅｓ）、Ｎ個の表示情報Ｉの座標（ｘ，ｙ）の分布のうち、仮想の三角形状領域の各頂点に相当する座標（ｘ，ｙ）を検索し、検索された三点の色度座標で囲まれた面積を求める（Ｓ１０３０７）。算出された値は、色域計算を行っているＮ個の表示色情報Ｉに関連付けられているモニタ名に対応して一時的に記憶される。
【００６８】
この動作を各端末２から送出された表示色情報Ｉに対して行い（Ｓ１０３０８，Ｎｏ）、各端末２が有するモニタ２２の色域の大きさ算出が終了していれば（Ｓ１０３０８，Ｙｅｓ）、算出された全ての色域の大きさの値から最小の値を選択する（Ｓ１０３０９）。
【００６９】
最小の値が選択されると、抽出手段１１ｂは、最小の値に関連付けられているモニタ名を抽出する（Ｓ１０３１０）。この動作により、最も狭い色域のモニタ２２が決定する。
【００７０】
Ｓ１０６における書き替え動作について図１１に基づき更に詳細に説明する。まず、プロファイル作成手段１１ｃは、抽出手段１１ｂにより抽出されたモニタ名をキーにして、表示色情報格納手段１１ａを検索し、抽出されたモニタ名で関連付けられた表示色情報Ｉ、すなわち、最も色域の狭いモニタ２２を有する端末２から送信された表示色情報Ｉを取得する（Ｓ１０４１）。
【００７１】
更にプロファイル作成手段１１ｃは、次の端末２の色変換デバイスプロファイルＰを書き換え対象として、当該次の端末２に対応する次のモニタ名に関連付けられた表示色情報Ｉを取得する（Ｓ１０４２）。
【００７２】
最初のループにおいては、初めのモニタ名で関連付けられた表示色情報Ｉを選択する。モニタ名の順番については、予め決まった順で呼び出せばよく、システム１００に設置される端末２が既定している場合は、モニタ名の順番を規定したテーブルを予め有し、そのテーブルを参照して選択が行われる。
【００７３】
最も狭い色域のモニタ２２と他のモニタ２２を測色することで得られたそれぞれ複数個の表示色情報Ｉを取得すると、プロファイル作成手段１１ｃは、Ｓ１０４１で得られた表示色情報Ｉの三刺激値をＸ´、Ｙ´、Ｚ´とし、Ｓ１０４２で得られた表示色情報Ｉの三刺激値Ｘ、Ｙ、Ｚとし、以下式が成立するとして、各表示色情報ＩであるＸ´，Ｙ´，Ｚ´，Ｘ，Ｙ，Ｚを用いて、最小二乗法または回帰分析により線形マトリクス［Ｂｍｎ］を導く（Ｓ１０４３）。
［Ｘ´，Ｙ´，Ｚ´］＝［Ｂｍｎ］［Ｘ，Ｙ，Ｚ］
【００７４】
線形マトリクス［Ｂｍｎ］を導くと、プロファイル作成手段１１ｃは、対象となっているモニタ名をキーとして、プロファイル格納手段１１ｄより、対象となっているモニタ名に関連付けられた色変換デバイスプロファイルＰを取得する（Ｓ１０４４）。
【００７５】
色変換デバイスプロファイルＰを取得すると、プロファイル作成手段１１ｃは、取得した色変換デバイスプロファイルＰに含まれる線形マトリクス［Ａｍｎ］と［Ｂｍｎ］との積をとり、新しく導かれた［Ｃｍｎ］で、取得した色変換デバイスプロファイルＰに含まれる線形マトリクスを書き替え、新たな色変換デバイスプロファイルＰ´を作成する（Ｓ１０４５）。
【００７６】
Ｓ１０４２〜Ｓ１０４５の動作を全ての端末２の色変換デバイスプロファイルＰの書き換えが終了するまで（Ｓ１０４６，Ｙｅｓ）、繰り返す。
【００７７】
この書き換え動作により、各端末２が有するモニタ２２が表示する色域を最も色域の狭いモニタ２２の色域に変換する色変換デバイスプロファイルＰ´がモニタ２２ごとに作成される。
【００７８】
本実施形態において、表示色情報Ｉは、ＸＹＺ表色系の三刺激値からなることを説明したが、デバイスに依存しない色空間であればよく、例えば、Ｌ＊ａ＊ｂ＊表色系等であってよい。
【００７９】
本実施形態において、色変換デバイスプロファイルＰを端末２から送信し、サーバ１で色変換デバイスプロファイルＰ´に書き換える構成及び動作を説明したが、色変換手段２１ｂにおける前段のＸＹＺ表色系への変換を行うデバイスリンクプロファイルと色変換デバイスプロファイルＰを組み合わせた色変換デバイスリンクプロファイルによって色変換を施してもよく、係る場合、色変換デバイスリンクプロファイルは、以下の変換式を実現する。
［Ｒ，Ｇ，Ｂ］＝［Ｄｍｎ］［Ｒ´，Ｇ´，Ｂ´］
ここで、Ｒ´、Ｇ´、Ｂ´は、変換前の有彩色画像データが有する数値である。［Ｄｍｎ］は、［Ａｍｎ］にＲ´Ｇ´Ｂ´からＸＹＺ表色系に変換する入力デバイスの色変換プロファイルの線形マトリックスを加味させたものである。
【００８０】
係る場合、色変換手段２１ｂでは、色変換デバイスリンクプロファイルを用いて有彩色画像データの色変換を行い、色変換デバイスリンクプロファイルが端末２からサーバ１へ送信され、サーバ１にて色変換デバイスリンクプロファイルが書き換えられる。
【００８１】
このような色変換システム１００、色変換方法、色変換プログラムでは、ネットワーク上のモニタ２２の色域を、最も狭い色域のモニタ２２のものに合わせることができ、ネットワーク上のモニタ２２の色域が統一されて、より高い次元での同一色再現性を得ることができる。
【図面の簡単な説明】
【００８２】
【図１】本実施形態に係る色管理システムのシステム構成を示す図である。
【図２】測色計が設置された端末装置を示す外観図である。
【図３】本実施形態に係る端末の機能ブロック図である。
【図４】本実施形態に係るサーバの機能ブロック図である。
【図５】本実施形態に係る色変換デバイスプロファイルの一例を示す図である。
【図６】本実施形態に係る表示色情報を示す図である。
【図７】本実施形態に係る各端末から送信された表示色情報の分布範囲を示す図である。
【図８】本実施形態に係る色管理システムの動作を示すフローチャート図である。
【図９】本実施形態に係るモニタの測色動作を示すフローチャート図である。
【図１０】本実施形態に係る抽出動作を示すフローチャート図である。
【図１１】本実施形態に係るプロファイル書き替え動作を示すフローチャート図である。
【符号の説明】
【００８３】
１  サーバ
１１  コンピュータ
１１ａ  表示色情報格納手段
１１ｂ  抽出手段
１１ｃ  プロファイル作成手段
１１ｄ  プロファイル格納手段
１２  通信部
２  端末
２１  コンピュータ
２１ａ  制御手段
２１ｂ  色変換手段
２１ｃ  有彩色画像データ記憶手段
２２  モニタ
２３  測色計
２４  通信部
２５  入力装置
１００  色管理システム
Ｎ  ネットワーク
Ｉ  表示色情報
Ｐ、Ｐ´  色変換デバイスプロファイル
Ｐｉ  一次元入力ルックアップテーブル
Ｐｏ  一次元出力ルックアップテーブル
Ｐｍ  線形マトリクス
【図１】
2006166237.tif 000003
【図２】
2006166237.tif 000004
【図３】
2006166237.tif 000005
【図４】
2006166237.tif 000006
【図５】
2006166237.tif 000007
【図６】
2006166237.tif 000008
【図７】
2006166237.tif 000009
【図８】
2006166237.tif 000010
【図９】
2006166237.tif 000011
【図１０】
2006166237.tif 000012
【図１１】
2006166237.tif 000013